(57)【要約】【課題】本願発明の課題は、引起し装置の掻き寄せ案内経路から掻込スターホイルへの引継ぎを確実かつ良好にし、掻込搬送性能の向上を図ることを目的とする。【解決手段】引起し装置（１５Ｌ，１５Ｒ）の後方に、穀稈の株元を切断する刈刃装置（１６）の前方から後方に向けて掻込搬送する複数の掻込スターホイル（１８Ｌ，１８Ｒ）を配置し、掻込スターホイル（１８Ｌ，１８Ｒ）のうちの掻き寄せ案内経路（Ｙ１）を有する引起し装置（１５Ｌ）によって引起された穀稈を搬送する掻込スターホイル（１８Ｌ）の前端部を、この掻込スターホイル（１８Ｌ）と噛合う掻込スターホイル（１８Ｒ）の前端部よりも前側に配置する。【選択図】      図６
2014045696.tif 000002
【特許請求の範囲】
【請求項１】
刈取装置（４）の前部に分草具（１４Ｌ，１４Ｒ）を配置し、該分草具（１４Ｌ，１４Ｒ）の後方に分草された穀稈を引起す複数の引起し装置（１５Ｌ，１５Ｒ）を配置し、該複数の引起し装置（１５Ｌ，１５Ｒ）のうち少なくとも一つの引起し装置（１５Ｌ）の下部には、下向き突出姿勢の引起しラグ（２９）が左右方向に直線的に移動して穀稈の株元を掻き寄せる所定幅の掻き寄せ案内経路（Ｙ１）を形成し、前記引起し装置（１５Ｌ，１５Ｒ）の後側には、穀稈の株元を刈刃装置（１６）の前方から後方に向けて掻込搬送する複数の掻込スターホイル（１８Ｌ，１８Ｒ）を配置し、該複数の掻込スターホイル（１８Ｌ，１８Ｒ）のうちの前記掻き寄せ案内経路（Ｙ１）を有する引起し装置（１５Ｌ）の後側に配置された第１掻込スターホイル（１８Ｌ）の前端部を、この第１掻込スターホイル（１８Ｌ）と噛合う第２掻込スターホイル（１８Ｒ）の前端部よりも前側に配置したコンバイン。
【請求項２】
前記第１掻込スターホイル（１８Ｌ）の有効径を、第２掻込スターホイル（１８Ｒ）の有効径よりも大きく設定した請求項１記載のコンバイン。
【請求項３】
前記第１掻込スターホイル（１８Ｌ）の回転軸心を、第２掻込スターホイル（１８Ｒ）の回転軸心よりも前側に配置した請求項１記載のコンバイン。
【請求項４】
駆動側となる前記第１掻込スターホイル（１８Ｌ）の回転を、従動側となる第２掻込スターホイル（１８Ｒ）へ噛合い伝動する構成とした請求項１又は請求項２記載のコンバイン。
【請求項５】
前記複数の掻込スターホイル（１８Ｌ）の上側に、掻込ラグ（１７ａ）を有する掻込ベルト（１７Ｌ，１７Ｒ）を設け、前記第１掻込スターホイル（１８Ｌ）の上側に配置される第１掻込ベルト（１７Ｌ）の周速度を、他の掻込ベルトの周速度よりも大きく設定した請求項１から４のいずれか一項に記載のコンバイン。
【発明の詳細な説明】
【技術分野】
【０００１】
この発明は、コンバインに関する。
【背景技術】
【０００２】
従来、分草後の穀稈を引き起す複数の引起し装置を左右に対向配置し、これらの引起し装置に備えた引起しラグにより、分草具の間に導入された穀稈を刈取搬送部の中央側に向けて掻き寄せ案内する掻寄せ案内領域と掻き寄せ案内された穀稈を引き起す引起し領域とを形成して、引起し範囲の拡大を図るように構成したものがある（例えば、特許文献１参照）。
【先行技術文献】
【特許文献】
【０００３】
【特許文献１】特開２０１０−１０４３４６号公報
【発明の概要】
【発明が解決しようとする課題】
【０００４】
上述の通り、特許文献１に記載された技術は、左側又は右側の引起し装置の掻寄せ案内領域により、引起し領域を拡大したものである。かかる構成の掻寄せ案内領域では、引起し後の穀稈を後方に掻込搬送する掻込スターホイルへの引継ぎが充分に行えず、穀稈の状況によっては引継ぎ部で穀稈の姿勢乱れが生じ、良好な引継ぎ掻込搬送が期待できないものであった。
【０００５】
本願発明の課題は、上記問題点を解消し、引起し装置の掻き寄せ案内経路から掻込スターホイルへの引継ぎを確実かつ良好にし、掻込搬送性能の向上を図ることを目的とする。
【課題を解決するための手段】
【０００６】
この発明は、上記課題を解決すべく次のような技術的手段を講じた。
即ち、請求項１記載の発明は、刈取装置（４）の前部に分草具（１４Ｌ，１４Ｒ）を配置し、該分草具（１４Ｌ，１４Ｒ）の後方に分草された穀稈を引起す複数の引起し装置（１５Ｌ，１５Ｒ）を配置し、該複数の引起し装置（１５Ｌ，１５Ｒ）のうち少なくとも一つの引起し装置（１５Ｌ）の下部には、下向き突出姿勢の引起しラグ（２９）が左右方向に直線的に移動して穀稈の株元を掻き寄せる所定幅の掻き寄せ案内経路（Ｙ１）を形成し、前記引起し装置（１５Ｌ，１５Ｒ）の後側には、穀稈の株元を刈刃装置（１６）の前方から後方に向けて掻込搬送する複数の掻込スターホイル（１８Ｌ，１８Ｒ）を配置し、該複数の掻込スターホイル（１８Ｌ，１８Ｒ）のうちの前記掻き寄せ案内経路（Ｙ１）を有する引起し装置（１５Ｌ）の後側に配置された第１掻込スターホイル（１８Ｌ）の前端部を、この第１掻込スターホイル（１８Ｌ）と噛合う第２掻込スターホイル（１８Ｒ）の前端部よりも前側に配置したコンバインとしたものである。
【０００７】
請求項２記載の発明は、前記第１掻込スターホイル（１８Ｌ）の有効径を、第２掻込スターホイル（１８Ｒ）の有効径よりも大きく設定した請求項１記載のコンバインとしたものである。
【０００８】
請求項３記載の発明は、前記第１掻込スターホイル（１８Ｌ）の回転軸心を、第２掻込スターホイル（１８Ｒ）の回転軸心よりも前側に配置した請求項１記載のコンバインとしたものである。
【０００９】
請求項４記載の発明は、駆動側となる前記第１掻込スターホイル（１８Ｌ）の回転を、従動側となる第２掻込スターホイル（１８Ｒ）へ噛合い伝動する構成とした請求項１又は請求項２記載のコンバインとしたものである。
【００１０】
請求項５記載の発明は、前記複数の掻込スターホイル（１８Ｌ）の上側に、掻込ラグ（１７ａ）を有する掻込ベルト（１７Ｌ，１７Ｒ）を設け、前記第１掻込スターホイル（１８Ｌ）の上側に配置される第１掻込ベルト（１７Ｌ）の周速度を、他の掻込ベルトの周速度よりも大きく設定した請求項１から４のいずれか一項に記載のコンバインとしたものである。
【発明の効果】
【００１１】
請求項１記載の発明によれば、掻込スターホイル（１８Ｌ，１８Ｒ）のうちの掻き寄せ案内経路（Ｙ１）を有する引起し装置（１５Ｌ）の後側に配置された第１掻込スターホイル（１８Ｌ）の前端部を、この第１掻込スターホイル（１８Ｌ）と噛合う第２掻込スターホイル（１８Ｒ）の前端部よりも前側に配置しているので、掻寄せ案内経路（Ｙ１）によって掻込まれた穀稈を第１掻込スターホイル（１８Ｌ）によって確実に取り込むことができる。
【００１２】
請求項２記載の発明によれば、請求項１記載の発明による効果に加えて、第１掻込スターホイル（１８Ｌ）の有効径を、第２掻込スターホイル（１８Ｒ）の有効径よりも大きく設定したので、掻き寄せ案内経路（Ｙ１）を有する側の第１掻込スターホイル（１８Ｌ）の掻込回転軌跡がこれと噛合う第２掻込スターホイル（１８Ｒ）よりも前側に拡大されるため、引起し装置（１５Ｌ）から第１掻込スターホイル（１８Ｌ）への引継ぎを円滑にすることができる。
【００１３】
請求項３記載の発明によれば、請求項１記載の発明による効果に加えて、第１掻込スターホイル（１８Ｌ）の回転軸心を、第２掻込スターホイル（１８Ｒ）の回転軸心よりも前側に配置したので、掻き寄せ案内経路（Ｙ１）を有する側の第１掻込スターホイル（１８Ｌ）の掻込回転軌跡がこれと噛合う第２掻込スターホイル（１８Ｒ）よりも前側に拡大されるため、引起し装置（１５Ｌ）から第１掻込スターホイル（１８Ｌ）への引継ぎを円滑にすることができる。
【００１４】
請求項４記載の発明によれば、請求項１または請求項２記載の発明による効果に加えて、駆動側となる第１掻込スターホイル（１８Ｌ）の回転を、従動側となる第２掻込スターホイル（１８Ｒ）へ噛合い部を介して伝達する構成としているので、複数の掻込スターホイル（１８Ｌ，１８Ｒ）の伝動構造を簡素化して、伝動部への藁屑の巻き付きを防止し、穀稈の掻込搬送を更に円滑化することができる。
【００１５】
請求項５記載の発明によれば、請求項１から請求項４のいずれか一項に記載の発明による効果に加えて、第１掻込スターホイル（１８Ｌ）の上側に配置される第１掻込ベルト（１７Ｌ）の周速度を、他の掻込ベルトの周速度よりも大きく設定したので、掻き寄せ作用時の穀稈を第１掻込ベルト（１７Ｌ）が素早く捕らえて確実に掻込搬送することができる。
【図面の簡単な説明】
【００１６】
【図１】コンバインの側面図
【図２】コンバインの正面図
【図３】刈取部の要部の正面図
【図４】刈取部の要部の側面図
【図５】刈取部の要部の正面図
【図６】刈取部の要部の平面図
【図７】刈取部の要部の平面図
【図８】刈取部の要部の平面図
【発明を実施するための形態】
【００１７】
この発明の実施例を図面に基づき説明する。
図１は、コンバインの全体図を示すものであり、この走行車体１には、走行ミッションＭを介して駆動される左右一対の走行クローラ２，２を備え、後部に搭載した脱穀装置（脱穀部）３の前方部に刈取装置（刈取部）４を設置し，刈取装置４の横側部には、運転席５と、運転席前側のフロント操作ボックス６と、運転席左横側のサイド操作ボックス７とからなる運転操作部を備え、更に、その運転操作部の後方には脱穀粒を一時的に貯留するグレンタンクＧを装備している。
【００１８】
フロント操作ボックス６の右側には、左右方向の操作で機体の進行方向を操向制御し、前後方向の操作で刈取装置４を昇降制御するパワステレバー８が設置されている。運転席５左側のサイド操作ボックス７上には、刈取装置４及び脱穀部３への回転動力を断続操作する刈脱クラッチレバー９、図示せぬ無段変速装置を変速して走行速度を変更する変速レバー（ＨＳＴレバー）１０、副変速レバー１１等が配置されている。
【００１９】
刈取部４は、後支持フレーム１２で支持され、この後支持フレーム１２基端部（後端部）を、走行車体１に設けた不図示の支持部に回動自在に軸支している。そして、後支持フレーム１２の中間部と走行車体１の間に設けた刈取昇降シリンダＳの油圧駆動による伸縮により、刈取部４が上下昇降される。
【００２０】
後支持フレーム１２の先端部（前端部）には、左右方向の横支持フレーム１３の左右中間部を連結しており、横支持フレーム１３からコンバインの機体前方に向けて、分草支持フレーム２１を、左右所定間隔をおいて複数配置している。
【００２１】
刈取部４には、立毛する穀稈を左右に分草する左右の分草具１４Ｌ，１４Ｒ及び中央の中分草具１４Ｃと、分草後の穀稈を引き起す左右一対の穀稈引起装置１５Ｌ，１５Ｒ（１５）と、引起し後の穀稈を刈り取るバリカン式刈刃装置（刈刃装置）１６と、引起し圏内に導入された穀稈を刈刃前方から後方に向けて掻込搬送する掻込ベルト１７Ｌ，１７Ｒ及び掻込スターホイル１８Ｌ，１８Ｒ等の掻込搬送装置、掻込搬送後の穀稈を脱穀部に揚上搬送して供給する揚上搬送装置１９等を装備している。
【００２２】
なお、前記各分草具１４は分草支持フレーム２１の先端に取り付けられている。
左右の分草具１４Ｌ，１４Ｒは、先端側が左内側方又は右外側方に向けて回動するよう分草支持フレーム２１の途中部に設けた上下方向の縦軸２２回りに回動自在に枢着している。
【００２３】
図３例に示すように、通常の２条刈作業を行う場合は、左右の分草具１４Ｌ，１４Ｒは閉状態（仮想線の状態）にあって、左右の分草具１４Ｌ，１４Ｒと中分草具１４Ｃとの間に１条ずつの穀稈が導入され、左右合わせて２条分の穀稈が刈刃側に分草案内されるようになっている。
【００２４】
左右分草具１４Ｌ，１４Ｒのうち、未刈地側の左分草具１４Ｌを外側方に開いた状態（開状態）では、中分草具１４Ｃと左分草具１４Ｌとの間に２条の穀稈が導入され、中分草具１４Ｃと右分草具１４Ｒとの間に導入される１条の穀稈と合わせて３条の穀稈が導入され、３条刈作業が可能となる。
【００２５】
また、既刈地側の右分草具１４Ｒは、１条の穀稈刈取条列に対し外側に食み出した刈残し穀稈がある場合には、即座に右分草具１４Ｒを外側に開いて取り込むように構成することができる。
【００２６】
図２例に示すように、掻き寄せ案内経路Ｙ１を有する側の引起し装置１５が既刈地側右側に配置する場合には、掻き寄せ案内経路を有しない側の未刈地側（左側）の分草具１４Ｌは固定状態にしておくこともできる。また、図５例に示すように、掻き寄せ案内経路Ｙ１を有する側の引起し装置１５を未刈地側左側に配置する場合にあっても、掻き寄せ案内経路を有しない側の既刈地側（右側）の分草具１４Ｒのみ固定状態にすることもできる。
【００２７】
なお、左右の分草具１４Ｌ，１４Ｒとこれらを遠隔操作する操作レバー２３とは、操作ワイヤ等を介して連動連結されている。
左右の穀稈引起装置１５Ｌ，１５Ｒは、これら左右の引起作用側において左右の分草具１４Ｌ，１４Ｒによって分草された穀稈を下方から上方へ移動する横向き突出姿勢の引起しラグ２９で引起す引起し経路Ｙ２が形成されてあり、そして、該引起し装置１５Ｌ，１５Ｒのうち一方側の引起し装置は、１条の穀稈を引き起す通常の引起し装置によって構成され、他方側の引起し装置は、その下部側において下向き突出姿勢の引起しラグ２９が前記引起し経路Ｙ２の下端側に向けて左右方向に移動して穀稈の株元を掻き寄せる所定幅の掻き寄せ案内経路Ｙ１を形成することにより、少なくとも２条の穀稈を導入して引き起すことができるように構成されている。
【００２８】
掻き寄せ案内経路Ｙ１を有する側の穀稈引起し装置１５Ｌは、引起しケース２５内上部に架設された駆動スプロケット２６と、テンションスプロケット２７及びケース内下部に左右所定間隔をあけて架設された左右ガイドローラ２８ａ，２８ｂと、それらにわたって掛け回した引起ラグ２９付無端チェン３０とから成り立っている。前記掻き寄せ案内経路Ｙ１は、所定間隔をあけて配置した左右のガイドローラ２８ａ，２８ｂ間において構成され、そして、この左右ガイドローラ２８ａ，２８ｂ間のローラ間ピッチを引起ラグ２９，２９間のラグピッチと略同等に設定することで、この掻き寄せ案内経路Ｙ１中において、複数の引起ラグ２９，２９が下向き作用姿勢で横移動するようになっている。
【００２９】
前記左右の引起し装置１５Ｌ，１５Ｒの後方に配置された掻込スターホイル１８Ｌ，１８Ｒのうち、掻き寄せ案内経路Ｙ１を有する側の掻込スターホイル（第１掻込スターホイル）１８Ｌは、図６例では、掻き寄せ案内経路を有しない側の掻込スターホイル（第２掻込スターホイル）１８Ｒよりも前方にＬ間隔食み出る位置に配置している。
【００３０】
また、別の図７例では、引起し装置の掻き寄せ案内経路Ｙ１を有する側の掻込スターホイル１８Ｒの外周径が掻き寄せ案内経路を有しない側の掻込スターホイル１８Ｌの外周径よりも径大となるよう構成している。これによれば、掻込スターホイル１８Ｒの外周端がそれだけ掻き寄せ案内経路Ｙ１に近づくことになるので、掻き寄せ搬送性能を高めることができる。
【００３１】
前記引起し装置の掻き寄せ案内経路を有しない側の掻込スターホイル１８Ｌは、刈取駆動系から入力されるホイル駆動軸３１によって駆動する構成とし、掻き寄せ案内経路を有する側の掻込スターホイル１８Ｒは駆動側の掻込スターホイル１８Ｌに噛み合せて従動回転するようホイル従動軸３２に固着支持されている図６参照。
【００３２】
掻込ベルト１７Ｌ，１７Ｒは、引起し圏内に導入された穀稈を所定間隔置きに突設した掻込ラグ１７ａにより係止保持して後方の刈刃１６側に向け、且つこれより後方側まで掻込搬送するものであり、ホイル駆動軸３１とホイル従動軸３２とに架設された掻込駆動プーリ３３Ｒ，３３Ｌと、掻込ケース３５の前端部に架設された掻込従動プーリ３４Ｒ，３４Ｌとにわたって掛け回され、左右引起し装置１５Ｌ，１５Ｒの背部に配置されている。
【００３３】
掻き寄せ案内経路Ｙ１を有する側の引起し装置１５Ｌ背部に位置する掻込ベルト（第１掻込ベルト）１７Ｌは、前記掻込スターホイル１８Ｌより上方に高く位置し、且つ、該掻込スターホイル１８Ｌの外周よりも外側を取り込み範囲内とし、そして、この取り込んだ穀稈を内側後方に向けて掻き送りながら掻込スターホイルの掻込圏内に掻込誘導すべく配置構成している。
【００３４】
また、図８に示す実施例では、掻き寄せ案内経路Ｙ１を有する側の掻込ベルト１７Ｌは、この掻込駆動プーリ３３Ｌの外径Ｄ１を反対側の掻込駆動プーリ３３Ｒの外径Ｄ２より大きく設定して掻込周速度が速くなるように構成している。
【符号の説明】
【００３５】
４      刈取装置（刈取部）
１４Ｌ  分草具
１４Ｒ  分草具
１５    穀稈引起し装置
１６    バリカン式刈刃装置（刈刃装置）
１７Ｌ  掻込ベルト（第１掻込ベルト）
１７Ｒ  掻込ベルト
１８Ｌ  掻込スターホイル（第１掻込スターホイル）
１８Ｒ  掻込スターホイル（第２掻込スターホイル）
２８    ガイドローラ
２９    引起しラグ
３１    ホイル駆動軸
３２    ホイル従動軸
３３    掻込駆動プーリ
３４    掻込従動プーリ
Ｙ１    穀稈掻き寄せ案内経路
Ｙ２    穀稈引起し経路
【図１】
2014045696.tif 000003
【図２】
2014045696.tif 000004
【図３】
2014045696.tif 000005
【図４】
2014045696.tif 000006
【図５】
2014045696.tif 000007
【図６】
2014045696.tif 000008
【図７】
2014045696.tif 000009
【図８】
2014045696.tif 000010